(57)【要約】【課題】高周波電界という環境下でも、マイコンが入力電流検知回路の出力電圧を誤検知せずに正常に動作すること。【解決手段】鍋（調理容器）１を加熱する加熱コイル３に高周波電流を供給し、鍋（調理容器）１を電磁誘導で発熱させるインバータ４と、加熱コイル３に流れる電流を電圧に変換する電流検出器７と、電流検出器７の出力信号を整流する第１整流器８、第１整流器８の出力信号を平滑する平滑回路９から構成される入力電流検知回路５と、入力電流検知回路５の出力信号を入力して所定の出力以下にインバータ４の入力電力を制御する制御回路６を備え、入力電流検知回路５の第１整流器８に並列にバイパスコンデンサ１０を接続すること。【選択図】図１
2010153168.tif 000002
【特許請求の範囲】
【請求項１】
被加熱物を誘導加熱する加熱コイルを含み、商用電源を整流した直流電圧を高周波電流に変換して前記加熱コイルに供給するインバータと、前記インバータの入力する商用周波数の入力電流を検知する電流検出器、前記電流検出器の出力信号を整流する第１整流器及び前記第１整流器の出力信号を平滑する平滑回路を有する入力電流検知回路と、前記入力電流検知回路の出力信号を入力して所定の出力以下に前記インバータの入力電力を制御する制御回路とを備え、前記入力電流検知回路は、前記第１整流器に並列にバイパスコンデンサを接続することにより、前記入力電流検知回路が外来の高周波電界中で動作したとき前記高周波電界により前記入力電流検知回路の出力電圧に重畳する高周波雑音の大きさを低減する誘導加熱調理器。
【請求項２】
入力電流検知回路は、電流検出器の出力端子の一端と共通電位間に接続された第１の整流器、第１及び第２の抵抗器を直列に接続した直列接続体と、前記第２の抵抗器の両端に接続された平滑コンデンサと、前記電流検出器の他端を所定の電位に設定するバイアス回路とを備え、制御回路に前記平滑コンデンサの両端電圧を出力電圧として出力するとともに、バイパスコンデンサの容量は、前記バイパスコンデンサを接続しない場合の前記出力電圧と前記バイパスコンデンサを接続した場合の前記出力電圧とで差がない程度に小さくした請求項１に記載の誘導加熱調理器。
【請求項３】
バイパスコンデンサは、平滑コンデンサの容量の１／１００〜１／１０００倍の容量を有する請求項２に記載の誘導加熱調理器。
【発明の詳細な説明】
【技術分野】
【０００１】
本発明は、高周波電界という環境下でも不具合なく正常動作するインバータ制御回路を備えた誘導加熱調理器に関するものである。
【背景技術】
【０００２】
従来、誘導加熱調理器において、インバータ制御回路内の入力電流検知回路において前記入力電流検知回路の出力電圧が所定の目標値以下になるように、前記出力電圧を制限して不具合なく正常に動作するような機能を有するものが知られている（例えば、特許文献１を参照）。
【特許文献１】特開平０２−０７２５８１号公報
【発明の開示】
【発明が解決しようとする課題】
【０００３】
しかしながら、前記従来の誘導加熱調理器の構成では、入力電流検知回路の整流器に強電界という環境下で、かつ高周波帯のノイズが侵入した場合、前記整流器がアンテナとなり、前記整流器両端の出力電圧に高周波雑音が重畳し、マイコンが前記出力電圧の目標値に対して誤検知をするという課題を有していた。
【０００４】
本発明は、前記従来の課題を解決するもので、高周波帯のノイズを除去する機能を有し、高周波電界という環境下でもマイコンが入力電流検知回路の出力電圧を誤検知せずに正常に動作する誘導加熱調理器を提供することを目的とする。
【課題を解決するための手段】
【０００５】
前記従来の課題を解決するために、本発明の誘導加熱調理器は、強電界という環境下で、かつ高周波帯のノイズが入力電流検知回路の整流器に侵入した場合、ノイズ除去機能を前記入力電流検知回路に付与させるため、前記整流器両端に並列にバイパスコンデンサを挿入する。
【０００６】
これによって、高周波ノイズが整流器を通過する際、バイパスコンデンサによりノイズ除去が可能となり、マイコンが入力電流検知回路の出力電圧を誤検知せずに誘導加熱調理器を正常に動作させることが可能である。
【発明の効果】
【０００７】
本発明の誘導加熱調理器は、外来の高周波電界中で動作したとき、高周波電界により入力電流検知回路の出力電圧に重畳する高周波雑音を低減することができる。
【発明を実施するための最良の形態】
【０００８】
第１の発明は、被加熱物を誘導加熱する加熱コイルを含み、商用電源を整流した直流電圧を高周波電流に変換して前記加熱コイルに供給するインバータと、前記インバータの入力する商用周波数の入力電流を検知する電流検出器、前記電流検出器の出力信号を整流する整流器及び前記整流器の出力信号を平滑する平滑回路を有する入力電流検知回路と、前記入力電流検知回路の出力信号を入力して所定の出力以下に前記インバータの入力電力を制御する制御回路とを備え、前記入力電流検知回路は、前記整流器に並列にバイパスコンデンサを接続することにより、前記入力電流検知回路が外来の高周波電界中で動作したとき前記高周波電界により前記入力電流検知回路の出力電圧に重畳する高周波雑音の大きさを低減する誘導加熱調理器とすることにより、バイパスコンデンサが高周波雑音の大きさを低減させる機能を有することにより、高周波電界中でも不具合なく正常に動作すること
が可能である。
【０００９】
第２の発明は、特に、第１の発明の誘導加熱調理器において、入力電流検知回路は、電流検出器の出力端子の一端と共通電位間に接続された第１の整流器、第１及び第２の抵抗器を直列に接続した直列接続体と、前記第２の抵抗器の両端に接続された平滑コンデンサと、前記電流検出器の他端を所定の電位に設定するバイアス回路とを備え、制御回路に前記平滑コンデンサの両端電圧を出力電圧として出力するとともに、バイパスコンデンサの容量は、前記バイパスコンデンサを接続しない場合の前記出力電圧と前記バイパスコンデンサを接続した場合の前記出力電圧とで差がない程度に小さくすることで、高周波電界中でも強電界を印加していない通常状態でも不具合なく正常に動作することが可能である。
【００１０】
第３の発明は、特に第２の発明の誘導加熱調理器において、バイパスコンデンサは、平滑コンデンサの容量の１／１００〜１／１０００倍の容量にすることで、第１の発明と同様に、外来の高周波電界中で動作させた場合に入力電流検知回路の出力電圧に重畳する高周波雑音を低減することが可能である。
【００１１】
以下、本発明の実施の形態について図面を参照しながら説明する。なお、この実施の形態によって本発明が限定されるものではない。
【００１２】
（実施の形態１）
図１は、本発明の第１の実施の形態における誘導加熱調理器の構成を示すものである。
【００１３】
図１において、鍋（調理容器）１を加熱する加熱コイル３と、加熱コイル３の上部に設置され、鍋（調理容器）１を載置する天板（トッププレート）２と、加熱コイル３に高周波電流を供給し、鍋（調理容器）１を電磁誘導で発熱させるインバータ４と、加熱コイル３に流れる電流を電圧に変換する電流検出器７、電流検出器７の出力信号を整流する第１整流器８、第１整流器８の出力信号を平滑する平滑回路９から構成される入力電流検知回路５と、入力電流検知回路５の出力信号を入力して所定の出力以下にインバータ４の入力電力を制御する制御回路（マイコン）６を備え、入力電流検知回路５の第１整流器８に並列にバイパスコンデンサ１０を接続することにより、高周波電界中で誘導加熱調理器を動作させたときに不具合なく正常に動作させる構成をしている。
【００１４】
以上のように構成された誘導加熱調理器について、以下その動作、作用を説明する。
【００１５】
前記誘導加熱調理器において、例えば、周波数が１ＭＨｚ〜５００ＭＨｚである、高周波電界が印加されている環境下で図示していない電源スイッチを投入し加熱を開始すると、第１整流器８に並列に接続した例えば、静電容量が５００ｐＦ〜５０００ｐＦである、バイパスコンデンサ１０が作用して高周波電界により入力電流検知回路の出力電圧に重畳する高周波雑音の大きさを低減することができる。
【００１６】
（実施の形態２）
図２は、本発明の第２の実施の形態における誘導加熱調理器の構成を示すものである。
【００１７】
図２は、本発明の第１の実施の形態における誘導加熱調理器の入力電流検知回路５の電流検出器７の出力端子の一端に接続されるバイアス回路１４と、電流検出器７の出力端子の他端と接続される電流検出器７及び平滑回路９を示している。電流検出器７は、商用交流電源２２から供給される信号がインバータ４を介して入力電流を検知する構成を有し、平滑回路９は、第１整流器８、第１及び第２の抵抗器１１及び１２を直列に接続した接続体を構成し、バイアス回路１４は、直流電源１８から直列に接続された第３抵抗器１５、第２整流器１６及び第４抵抗器１７を構成している。
【００１８】
以上のように構成された誘導加熱調理器について、以下その動作、作用を説明する。
【００１９】
前記誘導加熱調理器において、高周波電界が印加されている環境下で図示していない電源スイッチを投入し加熱を開始すると、電源からの入力信号が入力電流検知回路の平滑コンデンサ１３の両端電圧を出力電圧として出力するとともに、バイパスコンデンサ１０の容量は、バイパスコンデンサ１０を接続しない場合とバイパスコンデンサ１０を接続した場合とで前記誘導加熱調理器の設定出力に対し使用者が異常と感じない程度の外乱に起因する出力低下に対応する電圧以下に抑えることで、実施の形態１と同様にバイパスコンデンサ１０が高周波雑音の大きさを低減することができる。
【産業上の利用可能性】
【００２０】
以上のように、本発明にかかる誘導加熱調理器は、高周波電界という環境下においても高周波雑音に耐えうる性能を有することができるので、ＴＶ塔などに近く強い電界を発生する地域で使用する家庭用あるいは業務用の誘導加熱調理器等の用途にも適用できる。
【図面の簡単な説明】
【００２１】
【図１】本発明の実施の形態１における誘導加熱調理器の構成図
【図２】本発明の実施の形態２における誘導加熱調理器の入力電流検知回路の構成図
【符号の説明】
【００２２】
１  鍋（被加熱物）
３  加熱コイル
４  インバータ
５  入力電流検知回路
６  制御回路（マイコン）
７  電流検出器
８  第１整流器
９  平滑回路
１０  バイパスコンデンサ
１１  第１抵抗器
１２  第２抵抗器
１３  平滑コンデンサ
１４  バイアス回路
【図１】
2010153168.tif 000003
【図２】
2010153168.tif 000004